(57)【要約】【課題】長時間使用しても毛羽立ちが生じ難いマスクを提供する。【解決手段】着用者の顔面の対象部位を覆うマスク本体部１と、マスク本体部１を前記着用者の耳に係止するための右耳掛け部２及び左耳掛け部３と、を備えるマスク１００であって、マスク本体部１は、外面側不織布１１１と、フィルター１１２と、着用者側不織布１１３と、を備え、着用者側不織布１１３は、着用者の肌に向く面に、リン酸エステルを有する。【選択図】図１
2019060057.tif 000002
【特許請求の範囲】
【請求項１】
着用者の顔面の対象部位を覆うマスク本体部と、当該マスク本体部を前記着用者の耳に係止するための左右一対の耳掛け部と、を備えるマスクであって、
前記マスク本体部は、一又は複数のシート材を備え、
前記シート材のうち最も着用者の肌に近い着用者側シート材は、着用者の肌に向く面に、リン酸エステルを有することを特徴とするマスク。
【請求項２】
前記着用者側シート材は、ナイロン不織布であることを特徴とする請求項１に記載のマスク。
【請求項３】
前記リン酸エステルは、ポリアクリル酸ホスホリルコリングリコールであることを特徴とする請求項１又は２に記載のマスク。
【請求項４】
前記着用者側シート材は、0.1g/m2以上のリン酸エステルを有することを特徴とする請求項１から３のいずれか一項に記載のマスク。
【請求項５】
前記着用者側シート材は、当該着用者側シート材の上端部近傍及び下端部近傍に、中央部より多くのリン酸エステルを有することを特徴とする請求項１から４のいずれか一項に記載のマスク。
【請求項６】
前記着用者側シート材は、当該着用者側シート材の上端部近傍及び下端部近傍にのみリン酸エステルを有することを特徴とする請求項１から４のいずれか一項に記載のマスク。
【発明の詳細な説明】
【技術分野】
【０００１】
本発明は、着用者の顔面の鼻、口等を覆うマスクに関する。
【背景技術】
【０００２】
疾病時、花粉及び黄砂等の粉塵飛来時並びにその他の日常生活において使用されるマスクは、長時間使用しても着用者に不快感を生じさせないため、着用者の肌に接する面の肌触りが良好であることが求められる。
そこで、マスクの着用者の肌に接する面の肌触りを良好にすることを意図したマスクが知られている（例えば、特許文献１及び２参照）。
【先行技術文献】
【特許文献】
【０００３】
【特許文献１】特開２０１４−１０６号公報
【特許文献２】特開２０１７−１４６４７号公報
【発明の概要】
【発明が解決しようとする課題】
【０００４】
長時間使用時においても肌触りを良好に保つためには、マスクの表面が単に滑らかに形成されているのみではなく、長時間使用しても毛羽立ちが生じ難いことが必要となる。
しかしながら、特許文献２に記載のマスクは、毛羽立ちを抑えることを意図したものではなく、また、特許文献１に記載のマスクは、毛羽立ちを抑えることを意図したものであるが、単に不織布シートの摩擦係数等を調整するのみでは、十分に毛羽立ちを抑えることは困難であった。
【０００５】
本発明は、長時間使用しても毛羽立ちが生じ難いマスクを提供することを目的とする。
【課題を解決するための手段】
【０００６】
上記課題を解決するために、請求項１に記載の発明は、
着用者の顔面の対象部位を覆うマスク本体部と、当該マスク本体部を前記着用者の耳に係止するための左右一対の耳掛け部と、を備えるマスクであって、
前記マスク本体部は、一又は複数のシート材を備え、
前記シート材のうち最も着用者の肌に近い着用者側シート材は、着用者の肌に向く面に、リン酸エステルを有することを特徴とする。
請求項１に記載の発明によれば、長時間使用しても毛羽立ちが生じ難いマスクを提供することができる。
【０００７】
請求項２に記載の発明は、請求項１に記載のマスクにおいて、
前記着用者側シート材は、ナイロン不織布であることを特徴とする。
請求項２に記載の発明によれば、長時間使用しても、さらに毛羽立ちが生じ難いマスクを提供することができる。
【０００８】
請求項３に記載の発明は、請求項１又は２に記載のマスクにおいて、
前記リン酸エステルは、ポリアクリル酸ホスホリルコリングリコールであることを特徴とする。
請求項３に記載の発明によれば、長時間使用しても、さらに毛羽立ちが生じ難いマスクを提供することができる。
【０００９】
請求項４に記載の発明は、請求項１から３のいずれか一項に記載のマスクにおいて、
前記着用者側シート材は、0.1g/m2以上のリン酸エステルを有することを特徴とする。
請求項４に記載の発明によれば、マスクの毛羽立ちを抑える効果を高めることができる。
【００１０】
請求項５に記載の発明は、請求項１から４のいずれか一項に記載のマスクにおいて、
前記着用者側シート材は、当該着用者側シート材の上端部近傍及び下端部近傍に、中央部より多くのリン酸エステルを有することを特徴とする。
請求項５に記載の発明によれば、リン酸エステルの使用量を抑えつつ、マスクの毛羽立ちを抑える効果を高めることができる。
【００１１】
請求項６に記載の発明は、請求項１から４のいずれか一項に記載のマスクにおいて、
前記着用者側シート材は、当該着用者側シート材の上端部近傍及び下端部近傍にのみリン酸エステルを有することを特徴とする。
請求項６に記載の発明によれば、リン酸エステルの使用量を抑えつつ、マスクの毛羽立ちが生じやすい部分にのみ、毛羽立ちを抑える効果を生じさせることができる。
【発明の効果】
【００１２】
本発明によれば、長時間使用しても毛羽立ちが生じ難いマスクを提供することができる。
【図面の簡単な説明】
【００１３】
【図１】実施形態に係るマスクを示す斜視図である。
【図２】実施形態に係るマスクを示す正面図である。
【図３】図２のIII-III部における断面図である。
【図４】耳ゴムの編み方を示す図である。
【図５】ゴム紐を繊維状部材で巻いた場合を示す図である。
【発明を実施するための形態】
【００１４】
以下、本発明の実施形態であるマスク１００の具体的な態様について、図１から図５に基づいて説明する。ただし、本発明の技術的範囲は図示例に限定されるものではなく、あくまで特許請求の範囲の記載を基に判断される。
なお、以下においては、図１に示すように、マスクの着用者を基準として、前後、左右及び上下を定めて説明する。
【００１５】
［構成の説明］
｛全体構成｝
マスク１００は、図１及び図２に示すように、着用者の顔面の鼻、口、顎等を覆うマスク本体部１と、マスク本体部１を着用者の右耳に係止するための右耳掛け部２と、マスク本体部１を着用者の左耳に係止するための左耳掛け部３と、を備えている。なお、マスク１００は、マスク本体部１の後面側を着用者の顔面に向けて着用される。
【００１６】
｛マスク本体部｝
マスク本体部１は、図２に示すように、複数のシート材によって形成されたシート部１１と、シート部１１の上端部付近に取り付けられた鼻部補強部材１２と、シート部１１の上下方向中央部付近に取り付けられた口部補強部材１３と、を備える。
【００１７】
（シート部）
シート部１１は、図２に示すように正面視略矩形状に形成されたシート状の部材であり、複数のシート材を積層して形成されている。
シート部１１は、左右方向１２０ｍｍから２１０ｍｍ、好ましくは１４５ｍｍから１７５ｍｍ、上下方向７０ｍｍから１００ｍｍ、好ましくは８０ｍｍから９０ｍｍに形成される。
【００１８】
シート部１１は、図３に示すように、肌から遠い面から順に、シート部１１の肌から最も遠い面に位置する外面側不織布１１１、フィルター１１２、シート部１１の肌から最も近い面に位置する着用者側不織布１１３の順にシート材を積層して形成されている。
具体的なシート材としては、不織布として、例えば、ポリプロピレンスパンボンド、ポリエチレンスパンボンド、ナイロンスパンボンド等を用いることができるが、着用者側不織布１１３としては、耐摩耗性を有するナイロン不織布を用いることが望ましい。
また、フィルターとして、例えば、ポリプロピレンメルトブロー、レーヨンスパンボンド等が用いられる。
最も好適には、外面側不織布１１１としてポリプロピレンスパンボンドが用いられ、着用者側不織布１１３としてナイロンスパンボンドが用いられ、これらの間に挟み込むフィルター１１２としてポリプロピレンメルトブローが用いられる。
【００１９】
着用者側不織布１１３には、マスク１００の着用時において着用者の肌に向く面の全面に、略均一にリン酸エステルが塗布されている。リン酸エステルとしては、例えば、ポリアクリル酸ホスホリルコリングリコールが用いられる。
リン酸エステルの塗布量は、0.1g/m2以上であることが望ましく、0.3g/m2以上であることがさらに望ましい。
【００２０】
なお、マスクの毛羽立ちを抑える効果を高めるためには、リン酸エステルは、着用者側不織布１１３のマスク１００の着用時において着用者の肌に向く面の全面に塗布されていることが望ましいが、後述の変形例のように、マスクの上下の部分等、着用者の肌に接することが多い部分にのみ塗布することも可能である。
【００２１】
リン酸エステルは、印刷、スプレー、浸漬等の方法によって、着用者側不織布に塗布することができる。このうち印刷、特にグラビア印刷による塗布が、均一に塗布できるため適している。
また、粘性が高い場合には、水、アルコール等によって希釈した上で塗布することも可能である。この場合、塗布の後、希釈液を乾燥させる工程を経る必要がある。
【００２２】
また、着用者側不織布１１３には、リン酸エステルに加え、その他の保湿剤、柔軟剤、抗菌剤等を塗布することも可能である。
【００２３】
シート部１１を形成する外面側不織布１１１、フィルター１１２及び着用者側不織布１１３は、上下及び左右の端部付近において、熱・超音波等によって前後に溶着されており、上端部付近に上端部接続部１１ａが、下端部付近に下端部接続部１１ｂが、右端部付近に右端部接続部１１ｃが、左端部付近に左端部接続部１１ｄが形成されている。
【００２４】
シート部１１の上部には、後述の鼻部補強部材１２を取り付けるため、鼻部補強部材１２を囲むように外面側不織布１１１、フィルター１１２及び着用者側不織布１１３を、熱・超音波等によって溶着した鼻部補強部材周辺接続部１１ｅが形成されている。
鼻部補強部材周辺接続部１１ｅは、正面視において鼻部補強部材１２の形状と略一致するように形成されていることが望ましいが、鼻部補強部材１２の周囲に若干の間隙が存在し、鼻部補強部材１２を動かすことが可能であってもよい。
【００２５】
シート部１１の上下方向中央部付近には、後述の口部補強部材１３を取り付けるため、口部補強部材１３を囲むようにフィルター１１２及び着用者側不織布１１３を、熱・超音波等によって溶着した口部補強部材周辺接続部１１ｆが形成されている。
口部補強部材周辺接続部１１ｆは、正面視において口部補強部材１３の形状と略一致するように形成されていることが望ましいが、口部補強部材１３の周囲に若干の間隙が存在し、口部補強部材１３を動かすことが可能であってもよい。
【００２６】
また、図１及び図２においては夫々の接続部１１ａ〜１１ｆが別個に設けられた場合について図示したが、これに限られず、複数の接続部を兼ねる部分が存在していてもよい。例えば、上端部接続部１１ａと鼻部補強部材周辺接続部１１ｅの上部とが重なり、上端部接続部１１ａが鼻部補強部材周辺接続部１１ｅ上部を兼ねていてもよい。
また、これらの接続部は、前後にシート材が接続されていればよく、必ずしも熱・超音波等による溶着によって形成されている必要はない。
また、図１及び図２においてはこれらの接続部が実線状に形成された場合につき図示したが、これに限られず、接続部は例えば破線状に形成されていてもよい。
【００２７】
（プリーツ）
シート部１１は、図３に示すように上下方向に折り返されており、これによって、前面側に、図１から図３に示すように、上部プリーツ１１ｇと、下部プリーツ１１ｈ、１１ｈとが形成されている。マスク１００の着用時には、これらを上下方向に展開することによって、シート部１１が外側に膨出する山型の立体形状となって、着用者の顔面の鼻、口、顎等が覆われるようになっている。
【００２８】
上部プリーツ１１ｇは、図１から図３に示すように、シート部１１前面の上下方向中央部よりも上部に形成された、上方に凸となる折り目であり、上下方向に展開することができる。本実施形態においては、上部プリーツ１１ｇは、シート部１１の１か所に備えられている。
【００２９】
下部プリーツ１１ｈ、１１ｈは、図１から図３に示すように、シート部１１前面の上下方向中央部よりも下部に形成された、下方に凸となる折り目であり、上下方向に展開することができる。本実施形態においては、下部プリーツ１１ｈ，１１ｈは、シート部１１の２か所に備えられている。
【００３０】
上部プリーツ１１ｇ及び下部プリーツ１１ｈ，１１ｈは、シート部１１の上下方向中央部を含む、上部プリーツ１１ｇと下部プリーツ１１ｈ，１１ｈのうち上方に形成されたものとの間の部分の間隔が、最も広くなるように配置され、特に当該部分が、シート部１１の上下方向の幅の３分の１以上の幅を有するように配置されていることが望ましい。これによって、着用者の口元の空間を確保し易くなる。
【００３１】
また、上部プリーツ１１ｇ及び下部プリーツ１１ｈ，１１ｈは、これらの配置間隔が全て異なる間隔となるように配置されていることが望ましい。これによって、プリーツごとに配置間隔を変え、適切な位置に配置することが可能となる。
なお、プリーツの配置間隔には、上部プリーツ１１ｇとマスク上端縁との間隔及び下部プリーツ１１ｈ，１１ｈのうち下方に形成されたものとマスク下端縁との間隔を含むものとする。
【００３２】
（鼻部補強部材）
鼻部補強部材１２は、マスク本体部１の上部が着用者の鼻付近の形状に沿って、隙間が生じないようにするためのものであり、図２に示すように、シート部１１の上端縁に沿って備えられている。
鼻部補強部材１２は、左右方向に長い可塑性を有する部材であり、シート部１１の横幅よりも短く、左右方向に８０〜１３５ｍｍ、好ましくは９０ｍｍ〜１２０ｍｍの長さを有し、上下方向に幅３ｍｍ〜５ｍｍ、前後方向に厚み０．５ｍｍ〜１．０ｍｍとなるように形成されている。
【００３３】
鼻部補強部材１２の材料としては、可塑性を有する任意の材料を使用可能であるが、例えば、ポリプロピレン樹脂、ポリエチレン樹脂、ポリエチレンテレフタラート樹脂等が用いられ、最も好適には、ポリプロピレン樹脂が用いられる。
【００３４】
鼻部補強部材１２は、フィルター１１２と、着用者側不織布１１３との間に配置され、外面側不織布１１１、フィルター１１２及び着用者側不織布１１３を、鼻部補強部材１２の上下及び左右において熱・超音波等を用いて前後に溶着させることで、鼻部補強部材１２を囲むように形成された鼻部補強部材周辺接続部１１ｅによって、シート部１１に取り付けられている。
【００３５】
なお、鼻部補強部材１２は、マスク本体部１の上部に隙間が生じないようにすることが可能であれば、任意の配置及び取り付け方法によってシート部１１に取り付けることができる。
例えば、後述の口部補強部材１３と同様に、外面側不織布１１１は溶着されないようにして鼻部補強部材周辺接続部１１ｅを形成し、鼻部補強部材１２をシート部１１に取り付けてもよい。また、例えば、鼻部補強部材１２は、外面側不織布１１１と、フィルター１１２との間に配置されていてもよい。
【００３６】
（口部補強部材）
口部補強部材１３は、マスク本体部１の着用者の口元付近の形状を維持するためのものであり、図２及び図３に示すように、シート部１１の、上部プリーツ１１ｇと、下部プリーツ１１ｈ，１１ｈのうち上方に形成されたものとの間の位置の、シート部１１の上下方向中央部付近に取り付けられている。
なお、口部補強部材１３の取り付け位置としては、シート部１１の上下方向中央部から５ｍｍから１０ｍｍ程度下方にずれた位置に取り付けられていることが望ましいが、マスク本体部１の着用者の口元付近の形状を維持することができればよく、このような配置位置には限られない。
【００３７】
口部補強部材１３は、左右方向に長い可塑性を有する部材であり、図２に示すようにシート部１１の横幅よりも僅かに短く、左右方向に１００〜１５０ｍｍ、好ましくは１１５ｍｍ〜１４５ｍｍの長さを有し、上下方向に幅３ｍｍ〜５ｍｍ、前後方向に厚み０．５ｍｍ〜１．０ｍｍとなるように形成されている。
【００３８】
口部補強部材１３の材料としては、可塑性を有する任意の材料を使用可能であるが、例えば、鼻部補強部材１２と同様、ポリプロピレン樹脂、ポリエチレン樹脂、ポリエチレンテレフタラート樹脂等が用いられ、最も好適には、ポリプロピレン樹脂が用いられる。
【００３９】
口部補強部材１３は、図３に示すように、フィルター１１２と、着用者側不織布１１３との間に配置され、フィルター１１２と着用者側不織布１１３とを、口部補強部材１３の上下及び左右において、熱・超音波等を用いて前後に溶着させることで、口部補強部材１３を囲むように形成された口部補強部材周辺接続部１１ｆによって、シート部１１に取り付けられている。
これによって、口部補強部材１３が、フィルター１１２と、着用者側不織布１１３とに対して固定され、フィルター１１２、着用者側不織布１１３及び口部補強部材１３が、着用者の口元付近において固定されるが、外面側不織布１１１については、シート部１１の四辺の端部付近以外においては、他の部材に固定されていないこととなる。
【００４０】
｛耳掛け部｝
右耳掛け部２及び左耳掛け部３は、いずれも耳ゴム２００をマスク本体部１に取り付けることによって形成されている。
具体的には、図１及び２に示すように、右耳掛け部２はマスク本体部１の右側において、耳ゴム２００の一方の端部をシート部１１の右端部の上部に熱・超音波等によって溶着させ、他方の端部をシート部１１の右端部の下部に熱・超音波等によって溶着させることによって形成されている。また左耳掛け部３はマスク本体部１の左側において、耳ゴム２００の一方の端部をシート部１１の左端部の上部に熱・超音波等によって溶着させ、他方の端部をシート部１１の左端部の下部に熱・超音波等によって溶着させることによって形成されている。
【００４１】
（耳ゴム）
耳ゴム２００は、図４に示すように複数のゴム紐２０１…によって形成された組２１１…を編み込むことによって形成されている。
【００４２】
（ゴム紐）
ゴム紐２０１…は、伸縮性の材料によって形成された細い紐状の部材である。ゴム紐２０１…の材料としては、例えば、天然ゴムの場合にはラテックス等が、合成ゴムの場合にはポリウレタン等が用いられる。なお、ゴム紐２０１…としては、全て同じ太さのものを用いてもよいし、異なる太さの複数種類のものを混合して用いてもよい。
【００４３】
（組）
所定数のゴム紐２０１…を束ねることによって、図４に示すように組２１１…が形成される。組２１１としては、複数のゴム紐２０１…を束ねたのみでもよいし、これを捻る等してまとめてあってもよい。図４においては３本のゴム紐２０１…によって組２１１…が形成された場合につき図示したが、組２１１…を形成するゴム紐２０１…の数はこれに限られない。各組２１１…を形成するゴム紐２０１…は、全て同じ太さであってもよいし、異なる太さの複数種類のゴム紐２０１…が混合されていてもよい。
【００４４】
耳ゴム２００は、図４に示すように、複数の組２１１…を所謂三つ編みの要領で編み込むことで、各組２１１…が、耳ゴム２００の長さ方向に対して斜めに配置され、かつ、各組２１１…が一組ずつ交差するように編み込まれる。また、耳ゴム２００は、全てのゴム紐２０１…が耳ゴム２００の長さ方向の全体に亘って延在するように形成される。また、これによって、組２１１…を形成するゴム紐２０１…が、耳ゴム２００の長さ方向に対して斜めに配置されるように編み込まれることとなる。
【００４５】
具体的には、組２１１…は、１〜４本のゴム紐２０１…によって形成され、このような組２１１…を３〜１５組で編み込むことによって耳ゴム２００が形成されることが望ましい。
また、耳ゴム２００は、幅５〜７ｍｍ程度の扁平な帯状に形成されることが望ましい。
【００４６】
なお、耳ゴム２００は、上記のようにゴム紐２０１…のみによって形成されていてもよいが、図５に示すように、ゴム紐２０１…の周囲をポリエステル等の繊維状部材２０２…で巻いた上で、これを編み込んでもよい。この場合、耳ゴム２００の質感を柔らかいものとすることができ、より装着感を向上させることができる。また、ゴム紐２０１…の周囲を巻く繊維状部材２０２…としては、ポリエステルの他にナイロン等を用いることもできる。また、捲縮された繊維を用いると、よりふんわりとした柔らかい質感とすることができる。
【００４７】
［製造方法の説明］
（１）  例えば、被服用の紐を製造する製紐器のボビンに糸の代わりにゴム紐２０１を巻き、それを編み込むことで耳ゴム２００を形成する。
（２）  着用者側不織布１１３にリン酸エステルを塗布する。
（３）  肌から最も遠い面から順に、外面側不織布１１１、フィルター１１２、着用者側不織布１１３の順でシート材を重ね、フィルター１１２と、着用者側不織布１１３との間の所定の位置に、鼻部補強部材１２及び口部補強部材１３を配置する。なお、着用者側不織布１１３は、リン酸エステルを塗布した面が着用者の肌側に向くように配置する。
（４）  外面側不織布１１１、フィルター１１２及び着用者側不織布１１３を、鼻部補強部材１２の上下及び左右において熱・超音波等を用いて前後に溶着させ、鼻部補強部材周辺接続部１１ｅを形成する。また、フィルター１１２と着用者側不織布１１３とを、口部補強部材１３の上下及び左右において熱・超音波等を用いて前後に溶着させ、口部補強部材周辺接続部１１ｆを形成する。
（５）  重ねられたシート材を、上部プリーツ１１ｇ及び下部プリーツ１１ｈ、１１ｈが形成されるように折り畳む。
（６）  折り畳まれたシート材の上下及び左右の端部付近を、熱・超音波等を用いて前後に溶着させ、上端部接続部１１ａ、下端部接続部１１ｂ、右端部接続部１１ｃ及び左端部接続部１１ｄを形成する。
（７）  耳ゴム２００の両端部を、シート材の右端部の上下に熱・超音波等を用いて溶着させ右耳掛け部２を形成し、耳ゴム２００の両端部を、シート材の左端部の上下に熱・超音波等を用いて溶着させ左耳掛け部３を形成する。
【００４８】
［効果の説明］
本実施形態に係るマスク１００によれば、着用者側不織布１１３の着用者の肌に向く面に、リン酸エステルが塗布されている。
これによって、着用者の肌に接する面の繊維がリン酸エステルによってコーティングされることとなる。さらに、リン酸エステルは保湿効果も有することから、マスク内の水分が吸収され、着用者側不織布１１３がしなやかになる。
したがって、長時間使用した際においても、マスクの着用者に接する面に毛羽立ちが生じることを抑制することができる。
【００４９】
また、着用者側不織布１１３として耐摩耗性を有するナイロン不織布を用いることによって、さらに毛羽立ちを抑える効果を高めることができる。
【００５０】
［変形例］
着用者側不織布１１３に塗布されるリン酸エステルの量は、マスク１００の着用時において着用者の肌に向く面の全面において均一であってもよいが、場所によって塗布量を変えてもよい。
【００５１】
着用者の肌に接することが多く、毛羽立ちが生じやすいシート部１１の上端部近傍及び下端部近傍のみリン酸エステルの塗布量を増やすことで、リン酸エステルの使用量を抑えつつ、毛羽立ちを抑える効果を高めることが可能となる。
また、リン酸エステルは保湿効果を有するため、着用者の口の周辺においては、呼気の水分を多く吸収してしまい、口元がべたついたり、息がし難くなったりする可能性がある。そこで、着用者の口に対向するマスクの上下方向における中央部付近につき、リン酸エステルの塗布量を減らすことで、このようなおそれを低減することができる。
例えば、シート部１１の上端から、下方に7ｍｍから20ｍｍ、好ましくは10ｍｍから15ｍｍの幅の範囲、及びシート部１１の下端から、上方に7ｍｍから20ｍｍ、好ましくは10ｍｍから15ｍｍの幅の範囲について、0.058g/m2のリン酸エステルを塗布し、その他の部分について、半分の0.029g/m2のリン酸エステルを塗布するようにする。
【００５２】
また、シート部１１の上端部近傍及び下端部近傍、例えば、シート部１１の上端から、下方に7ｍｍから20ｍｍ、好ましくは10ｍｍから15ｍｍの幅の範囲、及びシート部１１の下端から、上方に7ｍｍから20ｍｍ、好ましくは10ｍｍから15ｍｍの幅の範囲にのみリン酸エステルを塗布し、その他の部分にはリン酸エステルを塗布しないようにすることも可能である。
この場合、リン酸エステルの使用量を大幅に抑えつつ、着用者の肌に接することが多いシート部１１の上端部近傍及び下端部近傍のみにつき、毛羽立ちを抑える効果を生じさせることができる。
また、リン酸エステルが呼気の水分を吸収することで、口元がべたついたり、息がし難くなったりするおそれを低減することができる。
【実施例】
【００５３】
次に、本発明の実施例及び比較例について、マーチンデール試験機を用いた摩耗試験、摩擦試験機を用いた表面性測定及び官能評価を行った結果について説明する。以下、実施例により本発明を具体的に説明するが、本発明はこれらに限定されるものではない。
【００５４】
（実施例１）
外面側不織布１１１として秤量１７ｇｓｍのポリプロピレンスパンボンド、フィルター１１２として秤量２０ｇｓｍのポリプロピレンメルトブロー、着用者側不織布１１３として秤量２０ｇｓｍのナイロンスパンボンドを用い、左右方向１７５ｍｍ、上下方向９０ｍｍに形成されたシート部１１に、鼻部補強部材１２及び口部補強部材１３を備えたマスク本体部１を用い、その左右に、長さ１６０ｍｍの耳ゴム２００を取り付けて右耳掛け部２及び左耳掛け部３を形成した。
着用者側不織布１１３の着用者側の面の全面に、0.058g/m2のポリアクリル酸ホスホリルコリングリコールを、グラビア印刷によって略均一に塗布した。
【００５５】
（実施例２）
外面側不織布１１１として秤量１７ｇｓｍのポリプロピレンスパンボンド、フィルター１１２として秤量２０ｇｓｍのポリプロピレンメルトブロー、着用者側不織布１１３として秤量２０ｇｓｍのナイロンスパンボンドを用い、左右方向１７５ｍｍ、上下方向９０ｍｍに形成されたシート部１１に、鼻部補強部材１２及び口部補強部材１３を備えたマスク本体部１を用い、その左右に、長さ１６０ｍｍの耳ゴム２００を取り付けて右耳掛け部２及び左耳掛け部３を形成した。
着用者側不織布１１３の着用者側の面の全面に、0.116g/m2のポリアクリル酸ホスホリルコリングリコールを、グラビア印刷によって略均一塗布した。
【００５６】
（実施例３）
外面側不織布１１１として秤量１７ｇｓｍのポリプロピレンスパンボンド、フィルター１１２として秤量２０ｇｓｍのポリプロピレンメルトブロー、着用者側不織布１１３として秤量２０ｇｓｍのナイロンスパンボンドを用い、左右方向１７５ｍｍ、上下方向９０ｍｍに形成されたシート部１１に、鼻部補強部材１２及び口部補強部材１３を備えたマスク本体部１を用い、その左右に、長さ１６０ｍｍの耳ゴム２００を取り付けて右耳掛け部２及び左耳掛け部３を形成した。
着用者側不織布１１３の着用者側の面の全面に、0.348g/m2のポリアクリル酸ホスホリルコリングリコールを、グラビア印刷によって略均一に塗布した。
【００５７】
（実施例４）
外面側不織布１１１として秤量１７ｇｓｍのポリプロピレンスパンボンド、フィルター１１２として秤量２０ｇｓｍのポリプロピレンメルトブロー、着用者側不織布１１３として秤量２０ｇｓｍのナイロンスパンボンドを用い、左右方向１７５ｍｍ、上下方向９０ｍｍに形成されたシート部１１に、鼻部補強部材１２及び口部補強部材１３を備えたマスク本体部１を用い、その左右に、長さ１６０ｍｍの耳ゴム２００を取り付けて右耳掛け部２及び左耳掛け部３を形成した。
着用者側不織布１１３の着用者側の面の全面に、1.16g/m2のポリアクリル酸ホスホリルコリングリコールを、グラビア印刷によって略均一に塗布した。
【００５８】
（比較例１）
外面側不織布１１１として秤量１７ｇｓｍのポリプロピレンスパンボンド、フィルター１１２として秤量２０ｇｓｍのポリプロピレンメルトブロー、着用者側不織布１１３として秤量２０ｇｓｍのナイロンスパンボンドを用い、左右方向１７５ｍｍ、上下方向９０ｍｍに形成されたシート部１１に、鼻部補強部材１２及び口部補強部材１３を備えたマスク本体部１を用い、その左右に、長さ１６０ｍｍの耳ゴムを取り付けて右耳掛け部２及び左耳掛け部３を形成した。
着用者側不織布１１３の着用者側の面には、ポリアクリル酸ホスホリルコリングリコールを塗布しなかった。
【００５９】
上記実施例及び比較例のマスクを用いて、以下の試験を行った。
【００６０】
（マーチンデール試験機を用いた摩耗試験）
マスクの着用者側の面について、マーチンデール試験機を用い、人工皮革（サプラーレ）との摩耗を、回転数１０回で行った。その後、マスクの着用者側の面の状態について、目視にて評価を行った。具体的には、JamesHeal社製 Midi-Martindale1305 Five ステーションを用い、上ヘッド部に評価する不織布を取り付け、下テーブル部に人工皮革を取り付け、擦り合わせるように摩耗試験を実施した。
試験結果は、毛羽立ちが見られない場合は◎、毛羽立ちが見られたが5本以下であれば○、毛羽立ちが5本を超え30本以下であれば△、30本を超える多数の毛羽立ちが生じた場合には×とした。
【００６１】
（摩擦試験機を用いた表面性測定）
マスクの着用者側の面について、摩擦試験機としてカトーテック社製KES-SEを用い、不織布の上を測定端子が直線上に動いた時のＭＤ方向及びＣＤ方向の平均摩擦係数（ＭＩＵ）及び摩擦係数の平均偏差（ＭＭＤ）を測定した。
【００６２】
（官能評価）
実施例及び比較例のマスクを、１０名の被験者に２時間に亘って着用させた後、マスクの着用者側の面の毛羽立ちにつき、目視にて評価を行った。
試験結果は、毛羽立ちが見られない場合は◎、毛羽立ちが見られたが5本以下であれば○、毛羽立ちが5本を超え30本以下であれば△、30本を超える多数の毛羽立ちが生じた場合には×とした。
【００６３】
試験の結果を表Iに示す。
【００６４】
【表１】
2019060057.tif 000003
【００６５】
（評価）
まず、実施例１から４と比較例１とを比較すると、実施例１から４のいずれも、マーチンデール試験機を用いた摩耗試験及び官能評価のいずれにおいても、比較例１よりも良好な結果が出ている。
したがって、着用者側不織布１１３の着用者側の面にリン酸エステル（ポリアクリル酸ホスホリルコリングリコール）を塗布することにより、着用時において、マスクの内面側を毛羽立ち難くすることができることが分かる。
【００６６】
また、実施例１から４を比較すると、マーチンデール試験機を用いた摩耗試験及び官能評価のいずれにおいても、ポリアクリル酸ホスホリルコリングリコールの塗布量が、0.058g/m2の場合において△、0.116g/m2の場合において○、0.348g/m2の場合及び1.16g/m2の場合において◎という結果が出ている。したがって、ポリアクリル酸ホスホリルコリングリコールの塗布量は0.1g/m2以上であることが望ましく、0.3g/m2以上であることがさらに望ましいことが分かる。
【００６７】
また、実施例１から４と比較例１とを比較すると、平均摩擦係数（ＭＩＵ）が、ＭＤ方向、ＣＤ方向共に実施例１から４の方が低くなっている。
したがって、着用者側不織布１１３の着用者側の面にリン酸エステル（ポリアクリル酸ホスホリルコリングリコール溶液）を塗布することにより、マスクの着用者側の面の滑りをよくすることができることが分かる。
【００６８】
また、実施例１から４を比較すると、リン酸エステル（ポリアクリル酸ホスホリルコリングリコール）の塗布量が多いほど、平均摩擦係数（ＭＩＵ）が、ＭＤ方向、ＣＤ方向共に低くなる傾向にある。
したがって、着用者側不織布１１３の着用者側の面に塗布するリン酸エステル（ポリアクリル酸ホスホリルコリングリコール）の塗布量が多いほど、マスクの着用者側の面の滑りをよくすることができることが分かる。
【符号の説明】
【００６９】
１００  マスク
１  マスク本体部
１１  シート部
１１１  外面側不織布（シート材）
１１２  フィルター（シート材）
１１３  着用者側不織布（シート材、着用者側シート材）
２  右耳掛け部（耳掛け部）
３  左耳掛け部（耳掛け部）
【図１】
2019060057.tif 000004
【図２】
2019060057.tif 000005
【図３】
2019060057.tif 000006
【図４】
2019060057.tif 000007
【図５】
2019060057.tif 000008